(57)【要約】【課題】簡単な構成で容易に記録紙を取り出すことができる生体情報記録装置を提供すること。【解決手段】記録紙１を保持するとともに一部が記録装置本体に固定されており、変形により、所定の収容位置と記録紙１を取り出す取出し位置との間で進退可能な記録紙ホルダー６０を設けたことにより、カセット等を採用する場合と比較して、簡単な構成で容易に記録紙１を取り出すことができるようになる。また、記録装置本体の記録紙収容位置に指を差し込んで、記録紙１を直接指で掴んで記録紙１を取り出す場合と比較して、スムーズに記録紙１を取り出すことができる。【選択図】図５
2018075811.tif 000002
【特許請求の範囲】
【請求項１】
感熱紙に生体情報を記録する生体情報記録装置であって、
記録装置本体と、
前記記録装置本体の一部に形成され、前記感熱紙を取り出すことができる大きさの開口と、
前記感熱紙を保持するとともに一部が前記記録装置本体に固定されており、変形により、所定の収容位置と前記開口から前記感熱紙を取り出す取出し位置との間で進退可能な記録紙ホルダーと、
を具備する生体情報記録装置。
【請求項２】
前記記録紙ホルダーは、可撓性のシートにより形成されている、
請求項１に記載の生体情報記録装置。
【請求項３】
前記記録紙ホルダーは、前記取出し位置から前記収容位置に復帰する復帰力を有する、
請求項１又は請求項２に記載の生体情報記録装置。
【請求項４】
前記記録紙ホルダーは、
前記感熱紙を載置する載置面と、
前記載置面の両端から直角に折り曲げられた第１及び第２の側面と、
前記第１の側面から前記載置面と向かい合う方向に直角に折り曲げられ、前記記録装置本体に固定される固定面と、
前記第２の側面から前記載置面と反対方向に直角に折り曲げられた取っ手部と、
を有する請求項１から請求項３のいずれか一項に記載の生体情報記録装置。
【請求項５】
前記生体情報記録装置は、
回転軸に軸支され、前記記録装置本体の側方位置を閉塞する閉塞位置と、前記記録装置本体の側方に回転することにより前記記録装置本体の側方位置に記録紙を取り出すことができる前記開口を形成する開口位置と、の間で回転可能な蓋部と、
をさらに具備し、
前記記録紙ホルダーは、少なくとも一部が、前記回転軸よりも上方、かつ、前記回転軸よりも側方の位置まで移動可能とされている、
請求項１から請求項４のいずれか一項に記載の生体情報記録装置。
【発明の詳細な説明】
【技術分野】
【０００１】
本発明は、生体情報記録装置に関し、特に記録紙の取り出し機構に関するものである。
【背景技術】
【０００２】
従来、例えば心電計においては、記録装置（印刷装置と言ってもよい）が一体に設けられ、計測結果を記録紙に記録できるようになされたものがある（例えば特許文献１参照）。この種の生体情報記録装置では、通常、記録紙として感熱紙が用いられる。また、生体情報記録装置では、心電図などの生体情報を長時間記録する必要があるために、通常、記録紙として折畳紙やロール紙などの連続紙が用いられる。
【０００３】
ロール紙を用いる場合、ロール紙は記録装置内の所定位置に収容してセットされる。一方、折畳紙を用いる場合、折畳紙のセットのタイプには２つのタイプがある。第１のタイプは、記録装置の内部に連続紙を収容するタイプである。第２のタイプは、記録装置の外部に連続紙を置き、その連続紙を記録装置の下面又は側面の給紙口から記録装置内に引き込むタイプである。
【０００４】
一般に、紙幅が小さい記録紙を用いるとともに持ち運びが容易なように小型化された生体情報記録装置においては、記録装置の内部に連続紙を収容するタイプとされている場合が多く、このような構成を採ることで、別途記録紙を持ち歩かなくても、いつでも記録紙に記録を行うことができるようになっている。
【０００５】
このような、装置の内部に連続紙を収容するタイプの生体情報記録装置においては、記録紙を取り出すための機構が必要となる。例えば、感熱紙である記録紙の向き、つまり感熱面の向きを逆にして装置にセットしてしまった場合などには、記録紙の向きを正しく入れ替えるために、一旦記録紙を取り出す必要がある。
【０００６】
取出し機構の一つの方法として、カセットに記録紙を収納し、このカセットを装置内部の収容位置（記録位置と言ってもよい）と、この収容位置から装置の側方にスライドした取出し位置との間で移動可能に構成する方法が考えられる。
【先行技術文献】
【特許文献】
【０００７】
【特許文献１】特開平９−３０９２３７号公報
【発明の概要】
【発明が解決しようとする課題】
【０００８】
しかしながら、上述したようなカセットを用いた取出し機構を採用すると、カセット自体の構成が複雑であるばかりか、カセットをガイドするガイド部も必要となるので、部品点数が多くなり、装置が大型化するという欠点がある。小型で持ち運び可能な心電計を実現しようとする場合には、記録装置が大型化することは甚だ不都合である。
【０００９】
一方で、装置内部の記録紙の収容位置まで指を差し込んで、記録紙を直接指で取り出す方法も考えられる。しかしながら、小型化した装置の開口から指を差し込んで記録紙を直接指で把持するのは容易ではない。
【００１０】
本発明は、以上の点を考慮してなされたものであり、簡単な構成で容易に記録紙を取り出すことができる生体情報記録装置を提供する。
【課題を解決するための手段】
【００１１】
本発明の生体情報記録装置の一つの態様は、
感熱紙に生体情報を記録する生体情報記録装置であって、
記録装置本体と、
前記記録装置本体の一部に形成され、前記感熱紙を取り出すことができる大きさの開口と、
前記感熱紙を保持するとともに一部が前記記録装置本体に固定されており、変形により、所定の収容位置と前記開口から前記感熱紙を取り出す取出し位置との間で進退可能な記録紙ホルダーと、
を具備する。
【発明の効果】
【００１２】
本発明によれば、簡単な構成で容易に記録紙を取り出すことができる生体情報記録装置を実現できる。
【図面の簡単な説明】
【００１３】
【図１】実施の形態に係る電計の外観構成を示す斜視図
【図２】蓋部が閉じられた状態の心電計の部分断面図
【図３】蓋部が開けられた状態の心電計の部分断面図
【図４】記録紙ホルダーの形状を示す側面図
【図５】実施の形態の記録紙ホルダーの動作の説明に供する図であり、図５Ａは記録紙ホルダーが印刷位置にある状態を示す図、図５Ｂは記録紙ホルダーを記録紙の取出し位置まで移動させた状態を示す図
【発明を実施するための形態】
【００１４】
以下、本発明の実施の形態について、図面を参照して詳細に説明する。
【００１５】
図１は、本発明の実施の形態に係る心電計の外観構成を示す斜視図である。心電計１０は、表示部２０と、操作ボタン群３０と、を有する。また、心電計１０は、心電図取得用電極などを接続するためのインターフェース部（図示せず）、及び、演算や動作制御を行う制御部（図示せず）などを有する。表示部２０には、計測結果である心電図が表示される。操作ボタン群３０には、電源スイッチ、スタート／ストップスイッチ、各種設定スイッチなどが含まれる。
【００１６】
また、心電計１０は、レコーダー４０（図２、図３）を内蔵しており、計測した心電図をレコーダー４０によって記録紙１（図２、図３）に印刷できるようになっている。心電計１０の上面には、印刷後の記録紙１が排出される排出口５２が形成されている。
【００１７】
心電計１０の側面には蓋部５０が設けられており、蓋部５０は印刷時には閉状態とされている一方、記録紙１を取り出す際には、ユーザによって開ボタン５１が押圧されることで開状態とされる。
【００１８】
図２及び図３は、心電計１０の部分断面図である。図２は蓋部５０が閉じられた状態を示し、図３は蓋部５０が開けられた状態を示す。蓋部５０は、回転軸５３に軸支されており、回転軸５３に軸支された状態で回転することにより、図２に示したような閉状態と、図３に示したような開状態と、をとり得る。
【００１９】
レコーダー４０は、サーマルヘッド４１及びプラテンローラー４２を有する。図２に示すように蓋部５０が閉じられた状態において、印刷が開始されると、サーマルヘッド４１とプラテンローラー４２との間に記録紙１が挟持され、その状態でプラテンローラー４２が回転しかつサーマルヘッド４１が動作することにより、記録紙１に心電図等が印刷される。
【００２０】
図３から分かるように、プラテンローラー４２は、蓋部５０に取り付けられており、蓋部５０が開状態とされると、蓋部５０と一緒になってサーマルヘッド４１から離れる方向に移動される。
【００２１】
記録紙１は、心電計１０の内部に収容される。記録紙１は折り畳まれた連続紙である。また記録紙１は感熱紙である。
【００２２】
記録紙１は、記録紙ホルダー６０によって保持された状態で、心電計１０内においてレコーダー４０や回路基板７０よりも下方に収容される。
【００２３】
図４は、記録紙ホルダー６０の形状を示す側面図である。記録紙ホルダー６０は、シート状のポリカーボネートを折り曲げて形成されている。記録紙ホルダー６０は、折畳紙である記録紙１の紙面形状と略同形状の載置面６０ａと、載置面６０ａの長手方向の両端から直角に折り曲げられ、折り畳まれた記録紙１の厚みを収容する側面６０ｂ１、６０ｂ２と、側面６０ｂ１から載置面６０ａと向かい合う方向に直角に折り曲げられ、心電計１０の本体シャーシ１０ａ（図５）に固定されて記録紙ホルダー６０を支持する固定面６０ｃと、側面６０ｂ２から載置面６０ａと反対方向に直角に折り曲げられた取っ手部６０ｄと、を有する。
【００２４】
因みに、記録紙ホルダー６０は、図４の紙面手前側及び紙面奥側には折り曲げられておらず、紙面手前側及び紙面奥側は開口となっている。換言すれば、記録紙ホルダー６０は、帯状の可撓性シートを折り曲げて形成されている。これにより、ユーザが取っ手部６０ｄを指でつまんで、取っ手部６０ｄを矢印ｙで示す上方及び矢印ｘで示す水平方向に引っ張ると、記録紙ホルダー６０は折り曲げ部分が開くように変形して伸びることにより、蓋部５０が開状態とされることで形成された開口８０（図３）から一部が心電計１０の外部に引き出された位置に移動できるようになっている。
【００２５】
図５を用いて、本実施の形態の記録紙ホルダー６０の動作について説明する。図５Ａは記録紙ホルダー６０が印刷位置にある状態を示す図であり、図５Ｂは記録紙ホルダー６０が記録紙１の取出し位置まで移動された状態を示す図である。
【００２６】
記録紙１を取り出す際、ユーザは、先ず開ボタン５１を押すことで図３に示すように蓋部５０を開状態にする。この開状態において、心電計１０の側方位置には記録紙１を引き出すことができる大きさの開口８０が現れる。ユーザは、この開口８０から装置内に指を入れて記録紙ホルダー６０の取っ手部６０ｄを指でつまんで、記録紙ホルダー６０の一部を開口８０から引き出す。
【００２７】
このとき、ユーザは、記録紙ホルダー６０の載置面６０ａが蓋部５０の回転軸５３よりも高くなるように記録紙ホルダー６０を矢印ｙで示す上方に持ち上げながら、記録紙ホルダー６０を矢印ｘで示す側方に引っ張る。これにより、図５Ｂに示したように、記録紙ホルダー６０を回転軸５３を避けて、回転軸５３よりも側方の記録紙１の取出し可能位置まで引っ張り出すことができる。なお、このように、記録紙ホルダー６０を引っ張るだけで、記録紙ホルダー６０を容易に斜め側方に引っ張り出すことができるのは、記録紙ホルダー６０を変形可能な材料及び形状により構成しているからである。
【００２８】
なお本実施の形態の場合、固定面６０ｃは接着剤６０ｅによって本体シャーシ１０ａに固着されている。ここで、図５Ｂから分かるように、固定面６０ｃは全面が本体シャーシ１０ａの下面に固着されているのではなく、固定面６０ｃのうち側面６０ｂ１との間の折り曲げ部の近傍は本体シャーシ１０ａに固着されておらず、自由な状態とされている。これにより、記録紙ホルダー６０の取っ手部６０ｄが引っ張られた際に、載置面６０ａと側面６０ｂ１との間の折り曲げ部が変形するのに加えて、側面６０ｂ１と固定面６０ｃとの間の折り曲げ部も変形するので、記録紙ホルダー６０は取出し可能位置まで移動されたときでも記録紙１を収納できるだけの高さを確保した形状を維持できる。
【００２９】
ユーザは、開口８０から記録紙ホルダー６０の一部を引っ張り出した状態において、記録紙１を入れ替えることができる。例えば、記録紙ホルダー６０内での記録紙１の向きが間違っている場合（例えば感熱面の向きを逆にして入れてしまっている場合）には、記録紙１の向きを正しく入れ替えることができる。
【００３０】
記録紙１の入れ替えが完了すると、ユーザは取っ手部６０ｄをつまみながら記録紙ホルダー６０を心電計１０内の元の位置に戻す。このとき、記録紙ホルダー６０は復帰力により変形した状態から元の形に戻ろうとするので、ユーザは簡単に記録紙ホルダー６０を心電計１０内の元の定位置に戻すことができる。
【００３１】
因みに、記録紙１を補充する場合には、記録紙ホルダー６０は引っ張り出さずに、装置内に収容されている記録紙ホルダー６０に記録紙１を載せればよい。勿論、記録紙ホルダー６０を引っ張り出してその上に記録紙１を載せて記録紙１を補充してもよいが、記録紙ホルダー６０の主な用途は、記録紙１を装置内部の収容位置から容易に取り出すことである。
【００３２】
以上説明したように、本実施の形態によれば、記録紙１を保持するとともに一部が本体シャーシ１０ａに固定されており、変形により、所定の収容位置（図５Ａの位置）と取出し位置（図５Ｂの位置）との間で進退可能な記録紙ホルダー６０を設けたことにより、カセット等を採用する場合と比較して、簡単な構成で容易に記録紙１を取り出すことができるようになる。
【００３３】
また、上述した心電計１０においては、蓋部５０の回転軸５３があるので、この回転軸５３が邪魔になって記録紙１を引き出し難い構造となっているが、記録紙ホルダー６０が変形により、少なくとも一部が、回転軸５３よりも上方、かつ、回転軸５３よりも側方の位置まで移動可能とされているので、開口８０が狭くても記録紙１を取り出し易い位置まで引き出すことができる。
【００３４】
なお上述の実施の形態では、記録紙ホルダー６０をポリカーボネートによって形成したが、ポリエチレン等の他のプラスチック材料によって形成してもよい。さらには、記録紙ホルダー６０を金属や樹脂等の材料によって形成してもよい。
【００３５】
また上述の実施の形態では、側面６０ｂ１から載置面６０ａと向かい合う方向に直角に折り曲げられ、心電計１０の本体シャーシ１０ａに固定されて記録紙ホルダー６０を支持する固定面６０ｃを形成した場合について述べたが、記録紙ホルダー６０を本体シャーシ１０ａに取り付けるための構成はこれに限らない。
【００３６】
つまり、記録紙ホルダー６０の材料及び形状は、上述の実施の形態に限らず、要は、記録紙ホルダー６０は、変形により、所定の収容位置と開口８０から記録紙１を取り出す取出し位置との間で進退可能な構成とすればよい。
【００３７】
また上述の実施の形態では、ユーザが取っ手部６０ｄを引っ張って記録紙ホルダー６０を記録紙１の取出し位置まで移動させる場合について述べたが、取っ手部６０ｄを省略して、側面６０ｂ２の長さを記録紙１の上面よりも高くなるように形成してもよい。このようにすれば、ユーザはこの側面６０ｂ２をつまんで記録紙ホルダー６０を引っ張ることができる。また、記録紙ホルダー６０の下面側に、記録紙ホルダー６０を記録紙１の取出し位置まで誘導するガイド等を設けてもよい。
【００３８】
さらに上述の実施の形態では、本発明を心電計１０に適用した場合について述べたが、本発明の生体情報記録装置は、記録紙に血圧、ＳｐＯ２などの他の生体情報を記録する生体情報記録装置にも適用でき、例えば生体情報モニタ等にも適用することもできる。
【００３９】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００４０】
本発明は、記録紙への生体情報印刷機能を有する心電計及び生体情報モニタなどに適用し得る。
【符号の説明】
【００４１】
１  記録紙
１０  心電計
２０  表示部
３０  操作ボタン群
４０  レコーダー
４１  サーマルヘッド
４２  プラテンローラー
５０  蓋部
５１  開ボタン
５２  排出口
５３  回転軸
６０  記録紙ホルダー
６０ａ  載置面
６０ｂ１、６０ｂ２  側面
６０ｃ  固定面
６０ｄ  取っ手部
６０ｅ  接着剤
７０  回路基板
８０  開口
【図１】
2018075811.tif 000003
【図２】
2018075811.tif 000004
【図３】
2018075811.tif 000005
【図４】
2018075811.tif 000006
【図５】
2018075811.tif 000007